(57)【要約】【課題】天板付き家具たるを互いに接するように配置して多人数で使用する際の利便性を向上させる。【解決手段】天板付き家具たるテーブルＴを、矩形状又は略矩形状をなす天板１と、この天板１の下方に取り付けられた複数の脚２とを具備するものであって、天板１下面の隅部又は略隅部に位置する第１脚取付部１ａと、前記第１脚取付部１ａより内方に位置する第２脚取付部１ｂとをさらに具備し、脚２を前記第１脚取付部１ａと前記第２脚取付部１ｂとの間で選択的に取り付けられるように構成した。【選択図】図４
2004057345.tif 000002
【特許請求の範囲】
【請求項１】
天板と、この天板の下方に取り付けられた複数の脚とを具備するものであって、天板下面の隅部又は略隅部に位置する第１脚取付部と、前記第１脚取付部より内方に位置する第２脚取付部とをさらに具備し、脚を前記第１脚取付部と前記第２脚取付部との間で選択的に取り付けられるように構成していることを特徴とする天板付き家具。
【請求項２】
天板の下面に使用端縁及び側端縁に沿って枠部材を設けているとともに、枠部材の隅部又は略隅部の前記第１脚取付部に、脚又は連結部材を選択的に取付可能にしていることを特徴とする請求項１記載の天板付き家具。
【請求項３】
前記枠部材の両端を、前記第１脚取付部に取り付けられた状態の脚に略密接するように構成していることを特徴とする請求項２記載の天板付き家具。
【請求項４】
連結部材を介して連結可能に構成しているとともに、前記連結部材を使用時の位置である連結位置と非使用時の位置である収納位置との間で選択的に取り付けられるように構成していることを特徴とする請求項１、２、又は３記載の天板付き家具。
【請求項５】
前記第２脚取付部を利用して前記収納位置に前記連結部材を取り付けられるように構成していることを特徴とする請求項４記載の天板付き家具。
【請求項６】
前記枠部材がパイプ状をなすとともに、前記連結部材の両端部を前記枠部材に嵌め込むようにして枠部材同士を連結するように構成していることを特徴とする請求項４又は５記載の天板付き家具。
【請求項７】
前記連結部材が表材と芯材との二重構造をとるとともに、前記芯材を前記枠部材に嵌め込むようにして前記枠部材同士を連結した際に前記表材が前記枠部材と連続するように構成していることを特徴とする請求項６記載の天板付き家具。
【請求項８】
前記枠部材の両端面が長手方向に対して斜めを向いていることを特徴とする請求項４、５、６、又は７記載の天板付き家具。
【請求項９】
前記連結部材を、枠部材に内方からねじ止めするように構成していることを特徴とする請求項４、５、６、７、又は８記載の天板付き家具。
【請求項１０】
奥行き方向中央部にデスクトップパネルを設置可能に構成しているとともに、このデスクトップパネルの長手方向に沿う両辺に使用端縁を設定していることを特徴とする請求項１、２、３、４、５、６、７、８、又は９記載の天板付き家具。
【発明の詳細な説明】
【０００１】
【発明の属する技術分野】
本発明は、オフィス等で好適に使用される天板付き家具に関する。
【０００２】
【従来の技術】
従来、複数のテーブルや机等の天板付き家具を連結し、多人数で使用する形態が広く用いられている。また、例えば通常は天板付き家具を単独で使用するとともに、会議などを行う際にはこのような天板付き家具を移動させて連結し、１種類の天板付き家具を通常業務の際にも会議の際にも用いるような形態も考えられている。
【０００３】
【発明が解決しようとする課題】
ところが、単に同一形状の天板付き家具を使用端縁に沿って連結しただけでは、天板付き家具の連結部付近に脚が隣接して位置し、この付近には着席できないので、着席位置も略決まってしまう。また、この場合の利用可能人数は最大でも元の天板付き家具の利用可能人数を単純に足し合わせたものでしかない。このように、単に同一形状の天板付き家具を連結するだけの態様では、天板付き家具を連結して多人数で使用する際の自由度が制限されてしまうという不具合が存在する。
【０００４】
本発明は以上に述べた課題を解決すべく、このような天板付き家具の利用の自由度をより高めるべく構成するものである。
【０００５】
【課題を解決するための手段】
すなわち本発明に係る天板付き家具は、天板と、この天板の下方に取り付けられた複数の脚とを具備するものであって、天板下面の隅部又は略隅部に位置する第１脚取付部と、前記第１脚取付部より内方に位置する第２脚取付部とをさらに具備し、脚を前記第１脚取付部と前記第２脚取付部との間で選択的に取り付けられるように構成していることを特徴とする。
【０００６】
このように構成したものであれば、単独での使用時には脚を前記第１脚取付部に取り付けて安定して使用できるとともに、複数台を互いに接するように配置して使用する際には、中間部に位置する脚を前記第２脚取付部に付け替えて着席者の邪魔にならないようにすることができるようになり、このような天板付き家具の利用の自由度をより高めることができる。
【０００７】
このような天板付き家具の剛性を確保しつつ軽量化を図るとともに、連結した状態で安定して使用できるようにするには、天板の下面に使用端縁及び側端縁に沿って枠部材を設けているとともに、枠部材の隅部又は略隅部の前記第１脚取付部に、脚又は連結部材を選択的に取付可能にすればよい。枠部材によって全体の剛性を確保することにより、全体としての剛性を損ねずに他の部分を軽量化することができるとともに、前記第１脚取付部に、連結部材を取り付けることにより、連結された天板全体の下面に枠部材の剛性確保効果を及ぼすことができるからである。
【０００８】
枠部材に前記連結部材のためのスペースを確保しつつ枠部材の剛性確保機能をなるべく損ねないようにするには、前記枠部材の両端を、前記第１脚取付部に取り付けられた状態の脚に略密接するように構成すればよい。前記枠部材と前記第１脚取付部に取り付けられた状態の脚とが協働して、通常の閉じた枠状に構成した枠部材と同様の機能を果たすからである。また、枠部材と脚との隙間を略なくすことにより、外観を整えることもできるようになる。
【０００９】
複数台を互いに接するように配置して使用する際により安定して使用できるようにするには、連結部材を介して連結可能に構成しているとともに、前記連結部材を使用時の位置である連結位置と非使用時の位置である収納位置との間で選択的に取り付けられるように構成すればよい。このようなものであれば、前記連結部材を介して天板同士を連結することにより、連結した複数の天板付き家具全体で１つの構造体となるので、天板付き家具同士が接する部分の脚を前記第２脚取付部に付け替えた状態でも安定性は確保できる。さらに、この連結部材を非使用時には収納位置に取り付けておけるので、部材の所在を把握しやすくなり、連結部材の紛失を起こりにくくでき、ファシリティマネジメントを好適に行うことができるようになる。
【００１０】
特に、前記第２脚取付部を利用して前記収納位置に前記連結部材を取り付けられるように構成しているものであれば、従来の天板付き家具からの設計変更を少なくすることができる。
【００１１】
連結部材を介して枠部材同士を確実に連結するための簡単な構成として、前記枠部材がパイプ状をなすとともに、前記連結部材の両端部を前記枠部材に嵌め込むようにして枠部材同士を連結するように構成しているものが挙げられる。
【００１２】
連結部材を枠部材に嵌め込んだ状態における見栄えを良くするには、前記連結部材が表材と芯材との二重構造をとるとともに、前記芯材を前記枠部材に嵌め込むようにして前記枠部材同士を連結した際に前記表材が前記枠部材と連続するように構成すればよい。このようにすれば、前記表材が前記枠部材と連続するように構成していることで前記枠部材と前記連結部材との間に段差が生じないようにできるからである。
【００１３】
また、枠部材の形状の一例として、前記枠部材の両端面が長手方向に対して斜めを向いているものが挙げられる。このようなものであれば、例えば前記第１脚取付部に取り付けられた状態の脚をより安定して挟み込むようにすべく互いに背向する端面において挟み込む構成を実現できるとともに、脚を前記第１脚取付部から取り外す際に天板を持ち上げる幅を少なくできる。
【００１４】
さらに、前記連結部材を、枠部材に内方からねじ止めするように構成すれば、ねじ頭が外方に露出しないので見栄えを整えることができ、前記枠部材の両端面が長手方向に対して斜めを向いている構造及び二重構造をなす前記連結部材の表材を前記枠材と連続させる構造と併用すれば、前記表材の端面と前記枠材の端面とがテーパー結合するので、より安定して枠材同士を連結できる効果をも得ることができる。
【００１５】
奥行き方向中央部にデスクトップパネルを設置可能に構成しているとともに、このデスクトップパネルの長手方向に沿う両辺に使用端縁を設定しているものであれば、前記デスクトップパネルを境に両使用端縁をそれぞれ１人で使用する通常のオフィス用デスクとしても使用できる。また、使用端縁に沿って複数台を連結することによりデスクトップパネルの両側それぞれを多人数で使用できる共用スペースとして用いるようにもできる。
【００１６】
なお、本発明において、「天板付き家具」とは、テーブルや机等、天板を有する家具全般を含む概念である。
【００１７】
【発明の実施の形態】
以下に本発明の一実施形態について述べる。
【００１８】
本実施形態に係る天板１付き家具たるテーブルＴは、斜視図を図１、正面図を図２、側面図を図３、底面図を図４にそれぞれ示すように、矩形状をなす天板１と、天板１の下方に取り付けられる４本の脚２とを具備する。
【００１９】
前記天板１は、図１、図２、及び図４に示すように、奥行き方向中央部に、このテーブルＴをオフィスデスクとして使用する際にパソコンや電話等の配線を挿通させるための配線挿通口Ｈと、デスクトップパネルＰを取り付けるためのデスクトップパネル取付部１ｘを設けている。前記配線挿通口Ｈは、上下方向に開口するものであり、平面視長方形状をなしている。また、この配線挿通口Ｈには、図示しない蓋を着脱可能に構成している。一方、デスクトップパネル取付部１ｘは、前記配線挿通口Ｈの両端に設けられ、デスクトップパネルＰを支持するパネル脚Ｐ１を挿通させるパネル脚挿通孔１ｘ１と、前記パネル脚Ｐ１を天板に取り付けるための取付部Ｐ１１をこの天板１にねじ止めするためのパネル固定ねじ孔１ｘ２とを具備する。なお、前記デスクトップパネル取付部１ｘには、デスクトップパネルＰ以外にもさまざまなオプション部材を取付可能に構成している。また、本実施形態ではこのデスクトップパネルＰの長手方向に沿う２辺を使用端縁１ｔに設定しているとともに、このデスクトップパネルの長手方向に直交する辺を側端縁１ｓに設定している。すなわち、前記配線挿通口Ｈは、使用端縁１ｔに沿って延びている。
【００２０】
しかして本実施形態では、図４に示すように、天板１下面の略隅部に第１脚取付部１ａを４箇所設けているとともに、この第１脚取付部１ａより内方に第２脚取付部１ｂを４箇所設けていて、脚２をこれら第１脚取付部１ａと第２脚取付部１ｂとの間で選択的に取り付けられるようにしている。また、このテーブルＴは、連結部材３を介して連結可能に構成しているとともに、前記連結部材３を使用時の位置である連結位置Ｊと非使用時の位置である収納位置Ｓとの間で選択的に取り付けられるように構成している。本実施形態では、連結位置Ｊは隣接するテーブルＴの使用端縁１ｔに沿う枠部材１１の間の位置、収納位置Ｓは第２脚取付部１ｂの位置に設定している。
【００２１】
具体的には、前記図２、前記図４、及び図４の第１脚取付部１ａ付近の拡大図である図５に示すように、脚２は、略鉛直下方に延びる脚本体２１と、前記脚本体２１の上端部から延出して天板１の下面に密着する板状の天板支持部２２とを有する。天板支持部２２には、この脚２を固定するためのねじを挿通させるためのねじ挿通孔２ａを設けている。一方、天板１には、前記第１脚取付部１ａ及び前記第２脚取付部１ｂに雌ねじ穴１ａ１、１ｂ１を設けていて、この雌ねじ穴１ａ１、１ｂ１に前記ねじ挿通孔２ａを重合させ、下方からねじ止めすることにより脚２を固定するようにしている。さらに、天板１の下面には使用端縁１ｔ及び側端縁１ｓに沿って枠部材１１を設けている。この枠部材１１は、本実施形態では４本の角パイプを用いて構成されている。枠部材１１の両端面１１ａは、使用端縁１ｔ又は側端縁１ｓに沿う方向、すなわち長手方向に対して斜めを向いていて、枠部材１１全体としては内方に向かって寸法が短くなっている。また、隣接する枠部材１１の両端面１１ａは互いに背向している。なお、本実施形態では、天板１は木製であり、雌ねじ孔１ａ１、１ｂ１は図示しない鬼目ナットを用いて形成している。なお、図４及び図５において、第１脚取付部１ａに取り付けられた脚２は実線で示し、第２脚取付部１ｂに取り付けられた脚２は想像線により示している。
【００２２】
一方、前記連結部材３は、図６に正面図、側面図、及び平面図を示すように、チャネル状をなす芯材３１と、この芯材３１を包むような形状をなす表材３２とを具備する。前記芯材３１には、ねじを挿通させるねじ挿通孔３ａを設けてあり、内部にナット３１１を溶接して設けている。後述するように枠部材１１に嵌め込んで連結する際に、この枠部材１１の内面に密接する。また、前記表材３２は、前記芯材３１よりも薄肉で、その内面が前記芯材３１に接する角パイプ状をなす部材により構成されている。さらに、表材３２は、前記芯材３１に接する面の長さ寸法を対向する面の長さ寸法よりも長くしていて、後述するように枠部材１１に嵌め込んで連結する際に、枠部材１１と連続する。なお、この連結部材３はテーブルＴ１台に対して２個備えられている。
【００２３】
このテーブルＴを単独で使用する際には、図４及び図５に示すように、４本の脚２は、全て前記第１脚取付部１ａに取り付けてある。そして、これらの脚２は、全て隣接する前記枠部材１１の端面１１ａに挟み込まれるように略密接している。一方、前記連結部材３は、芯材３１に設けた前記ねじ挿通孔３ａを前記第２脚取付部１ｂの雌ねじ孔１ｂ１と重合させて前記収納位置Ｓにねじ止めしている。すなわち、第２脚取付部１ｂを利用して前記収納位置Ｓに取り付けられている。
【００２４】
一方、このテーブルＴを連結して使用する際には、斜視図を図７、正面図を図８、側面図を図９、底面図を図１０にそれぞれ示すように、連結相手のテーブルＴと近接する側の脚は第１脚取付部１ａから第２脚取付部１ｂに付け替えられている。また、前記連結部材３は、天板を省略した分解斜視図を図１１に示すように、その両端部を前記枠部材１１に嵌め込み、連結部材３のねじ挿通孔３ａを枠部材１１に設けたねじ挿通孔１１ｘと重合させて表材３２が枠部材１１と連続するようにしているとともに、枠部材１１の内方からねじＢ１を用いて前記ナット３１１にねじ止めすることによりこの枠部材１１に固定され、枠部材１１の間の前記連結位置Ｊに位置するようにしている。すなわち、枠部材１１はこの連結部材３を介して連結されている。なお、図１０において、テーブルＴ同士が近接する部分の第１脚取付部１ａの位置を想像線で示している。
【００２５】
ここで、本実施形態では、脚２の取付に用いるねじ（図示略）は連結部材３を連結位置Ｊに固定する際に用いるねじＢ１よりも直径が小さいものを用いている。テーブルＴを単独で使用する際には、連結部材３を連結位置Ｊに固定する際に用いるねじＢ１は、連結部材３の長手方向中央部に設けた１対のナット３１１及びこれらのナット３１１に隣接する１対のナット３１１にねじ止めしているとともに、このねじＢ１のねじ頭を天板１の下面に接した状態で、脚２の取付に用いるねじと同一直径の図示しないねじを用い、このねじを連結部材３の両端のナット３１１のナット穴に挿通させて、第２脚取付部を利用して収納位置にねじ止めしている。一方、テーブルＴを連結する際には、連結部材３を前記収納位置にねじ止めしていたねじは天板１の下面の所定位置に設けたダミーの雌ねじ孔１ｚ１により構成されるねじ収納部１ｚにねじ止めしている。
【００２６】
本実施形態に係るテーブルＴは、以上のように構成したので、このテーブルＴを図７〜図１０に示すように複数個互いに接するように配置して多人数で使用する際に、略隅部に位置する第１脚取付部１ａよりも内方に位置する第２脚取付部１ｂに脚２を付け替えることにより、テーブルＴの境目の部分で脚２が着席者の邪魔にならないようにしてより好適な利用状態を提供でき、利用の自由度をより大きくできる。
【００２７】
また、前記連結部材３を介して連結可能にしているので、連結した複数の天板１付き家具全体で１つの構造体となり、天板１付き家具同士が接する部分の脚２を前記第２脚取付部１ｂに付け替えた上述した多人数での使用態様でも安定性を確保できる。さらに、この連結部材３を非使用時には前記第２脚取付部１ｂを利用して構成した収納位置に取り付けておけるので、連結部材３の所在を把握しやすくなり、この連結部材３の紛失を防止できるようになるのでファシリティマネジメントを好適に行うことができるとともに、この効果を最小限の設計変更により実現できる。
【００２８】
さらに、天板１の下面に枠部材１１を設けているとともに前記連結部材３によりこの枠部材１１同士を連結するようにしているので、連結した状態での天板１全体に枠部材１１による剛性確保の効果を及ぼすことができる。
【００２９】
また、前記枠部材１１の両端を、前記第１脚取付部１ａに取り付けられた状態の脚２に密接するように構成しているので、枠部材１１と脚２とが協働して天板１の剛性が増すようになり、連結部材３のためのスペース確保と枠部材１１本来の剛性確保効果の維持とを両立できる。
【００３０】
また、この枠部材１１の両端面１１ａが長手方向に対して斜め方向を向くようにしているので、上述した実施形態のように隣接する枠部材１１の端面１１ａを背向させ、このように背向させた枠部材１１の端面１１ａにより両側から脚２を安定して挟み込むことができるとともに、前記第１脚取付部１ａから脚２を取り外す際に天板１を持ち上げる幅を少なくできる。
【００３１】
連結部材３の両端をパイプ状をなす前記枠部材１１に嵌め込むようにして枠部材１１同士を連結するようにしているので、枠部材１１の連結を簡単な構成で確実に行うことができる。
【００３２】
前記連結部材３を表材３２と芯材３１の二重構造とし、連結時に表材３２が枠部材１１と連続するようにしているので、表面の段差をなくして見栄えを良くできる。
【００３３】
そして、前記連結部材３を枠部材１１に内方からねじ止めしているので、この点からも見栄えを良くできるとともに、本実施形態では前述したように枠部材１１の両端縁が長手方向に対して斜め方向を向くようにし、かつ前記連結部材３を表材３２と芯材３１の二重構造とした上で連結時に表材３２が枠部材１１と連続するようにしているので、表材３２と枠部材１１の両端縁との間のテーパー作用により前記連結部材３を枠部材１１にさらに安定して取り付けることができる。
【００３４】
加えて、連結部材３にテーブルＴ同士の連結の際に使われないナット３１１を設けているとともに、単独での使用時にこの連結部材３を固定しておくためのねじ連結時に収納しておくための前記ねじ収納部１ｚを天板１に設けているので、連結部材３を連結位置Ｊに取り付けて連結する際に用いるねじＢ１と脚２の取り付けに用いるねじとの規格が異なるものであっても、ねじを目に付きやすいところに収納することができ、連結又は連結の解除の際にねじの所在がわからなくなることを防げる。
【００３５】
なお、本発明は以上に述べた実施形態に限られない。
【００３６】
例えば、第２脚取付部とは別の位置に収納位置を設定して、この収納位置に使用しない連結部材を収納しておく連結部材収納部を設けてもよい。
【００３７】
また、枠材同士を連結する以外に、例えば天板の側面又は底面に連結部材取付部を設けておいてこの連結部材取付部に連結部材を天板をまたいで取り付ける等、他の方法により連結するようにしてもよい。
【００３８】
枠材同士を連結する方法及び連結部材の形状についても、上述した実施形態で述べた以外に、例えばチャネル状をなす連結部材の両端部を枠材に被せるようにして取り付ける態様や、連結部材を長尺のボルト状に構成するとともに枠材にこの連結部材を挿し通す挿通孔を形成し、隣接するテーブルの互いに対向する枠材に形成した前記挿通孔に前記連結部材を挿し通してナットで止める態様等が考えられる。特に、後者の態様では、枠材を閉じた矩形枠状に形成して第１脚取付部をこの枠材の外側に設定するとよい。また、上述した実施形態において、連結部材の表材は省略しても構わない。
【００３９】
加えて、枠材の端面は、長手方向を向くようなものであってもよい。
【００４０】
そして、テーブル以外にも、机等、天板を有する家具全般を本発明に係る天板付き家具として使用してよい。
【００４１】
その他、脚の本数を変化させてもよく、さらにデスクトップパネル等のオプション部材や配線挿通口を省略するなど、本発明の趣旨を損ねない範囲で種々に変形してよい。
【００４２】
【発明の効果】
本発明は、天板付き家具を複数個互いに接するように配置して多人数で使用する際に、略隅部に位置する第１脚取付部よりも内方に位置する第２脚取付部に脚を付け替えることができ、天板の境目の部分で脚が着席者の邪魔にならないようにしてより自由度の高い利用を行うことができる。
【図面の簡単な説明】
【図１】本発明の一実施形態に係るテーブルの斜視図。
【図２】同実施形態に係るテーブルの正面図。
【図３】同実施形態に係るテーブルの側面図。
【図４】同実施形態に係るテーブルの底面図。
【図５】図４における第１脚取付部付近の拡大図。
【図６】同実施形態に係るテーブルを連結する連結部材を示す図。
【図７】同実施形態に係るテーブルを連結した状態の斜視図。
【図８】同実施形態に係るテーブルを連結した状態の正面図。
【図９】同実施形態に係るテーブルを連結した状態の側面図。
【図１０】同実施形態に係るテーブルを連結した状態の底面図。
【図１１】同実施形態に係るテーブルの連結を示す概略図。
【符号の説明】
Ｔ…テーブル（天板付き家具）
１…天板
１ａ…第１脚取付部
１ｂ…第２脚取付部
１ｔ…使用端縁
１ｓ…側端縁
１１…枠部材
１１ａ…枠部材の端面
２…脚
３…連結部材
３１…芯材
３２…表材
Ｊ…連結位置
Ｓ…収納位置
Ｐ…デスクトップパネル
【図１】
2004057345.tif 000003
【図２】
2004057345.tif 000004
【図３】
2004057345.tif 000005
【図４】
2004057345.tif 000006
【図５】
2004057345.tif 000007
【図６】
2004057345.tif 000008
【図７】
2004057345.tif 000009
【図８】
2004057345.tif 000010
【図９】
2004057345.tif 000011
【図１０】
2004057345.tif 000012
【図１１】
2004057345.tif 000013